(57)【特許請求の範囲】
【請求項１】
両面印字済み記録媒体を含む記録媒体を装填可能な複数の給紙トレイを有し、原稿画像に基づいて、何れかの前記給紙トレイから記録媒体を給紙し、当該給紙した記録媒体上に画像を形成し出力する画像形成装置において、
前記給紙トレイに装填される両面印字済み記録媒体について、ポートレート又はランドスケープについての用紙種類と、左右綴じ又は上綴じについての両面綴じ方向の種類とを設定する設定手段と、
画像形成後の記録媒体に綴じ処理を施す際の綴じ方向を入力するための出力綴じ方向入力手段と、
前記原稿画像の画像方向を判別する原稿判別手段と、
前記記録媒体として両面印字済み記録媒体を用いる場合に、前記複数の給紙トレイに装填された記録媒体のうち、前記設定手段により設定された両面印字済み記録媒体の用紙種類及び両面綴じ方向の種類が前記原稿判別手段により判別された原稿画像の画像方向及び前記出力綴じ方向入力手段により入力された綴じ方向と一致する両面印字済み記録媒体を選択する制御手段と、
を備えたことを特徴とする画像形成装置。
【請求項２】
前記制御手段は、前記複数の給紙トレイの何れかに、前記設定手段により設定された用紙種類が前記原稿判別手段により判別された原稿画像の画像方向と一致する両面印字済み記録媒体が装填されているか否かを判断し、前記複数の給紙トレイの何れにも装填されていないと判断した場合に、前記原稿画像の画像方向と一致する用紙種類の両面印字済み記録媒体の装填を促す表示を表示手段に表示することを特徴とする請求項１に記載の画像形成装置。
【請求項３】
前記制御手段は、前記複数の給紙トレイの何れかに、前記設定手段により設定された用紙種類が前記原稿判別手段により判別された原稿画像の画像方向と一致する両面印字済み記録媒体が装填されていると判断した場合に、その両面印字済み記録媒体について前記設定手段により設定された両面綴じ方向の種類が前記出力綴じ方向入力手段により入力された綴じ方向と一致するか否かを判断し、一致しないと判断した場合に、前記入力された綴じ方向と一致する両面綴じ方向の種類の両面印字済み記録媒体の装填を促す表示を表示手段に表示することを特徴とする請求項２に記載の画像形成装置。
【請求項４】
前記制御手段は、前記複数の給紙トレイの何れかに、前記設定手段により設定された用紙種類及び両面綴じ方向の種類が前記原稿判別手段により判別された原稿画像の画像方向及び前記出力綴じ方向入力手段により入力された綴じ方向と一致する両面印字済み記録媒体が装填されているか否かを判断し、前記複数の給紙トレイの何れにも装填されていないと判断した場合に、前記原稿画像の画像方向及び前記入力された綴じ方向と一致する用紙種類及び両面綴じ方向の種類の両面印字済み記録媒体の装填を促す表示を表示手段に表示することを特徴とする請求項１に記載の画像形成装置。
【請求項５】
両面印字済み記録媒体を含む記録媒体を装填可能な複数の給紙トレイを有し、原稿画像に基づいて、何れかの前記給紙トレイから記録媒体を給紙し、当該給紙した記録媒体上に画像を形成し出力する画像形成装置において、
前記給紙トレイに装填される両面印字済み記録媒体について、ポートレート又はランドスケープについての用紙種類と、左右綴じ又は上綴じについての両面綴じ方向の種類とを設定する設定手段と、
画像形成後の記録媒体に綴じ処理を施す際の綴じ方向を入力するための出力綴じ方向入力手段と、
前記複数の給紙トレイのうち、画像形成に用いる記録媒体を給紙する給紙トレイを指定するトレイ指定手段と、
前記原稿画像の画像方向を判別する原稿判別手段と、
前記記録媒体として両面印字済み記録媒体を用いる場合に、前記トレイ指定手段により指定された給紙トレイに装填されている記録媒体について前記設定手段により設定された用紙種類及び両面綴じ方向の種類が、前記原稿判別手段により判別された原稿画像の画像方向及び前記出力綴じ方向入力手段により入力された綴じ方向と一致するか否かを判断し、前記原稿画像の画像方向及び前記入力された綴じ方向と一致しないと判断した場合に、画像形成動作を行わないように制御する制御手段と、
を備えたことを特徴とする画像形成装置。
【請求項６】
前記制御手段は、前記トレイ指定手段により指定された給紙トレイに装填されている記録媒体について前記設定手段により設定された用紙種類が、前記原稿画像の画像方向と一致しないと判断した場合に、前記原稿画像の画像方向と一致する用紙種類の両面印字済み記録媒体の装填を促す表示を表示手段に表示することを特徴とする請求項５に記載の画像形成装置。
【請求項７】
前記制御手段は、前記トレイ指定手段により指定された給紙トレイに装填されている記録媒体について前記設定手段により設定された両面綴じ方向の種類が、前記入力された綴じ方向と一致しないと判断した場合に、前記入力された綴じ方向と一致する両面綴じ方向の種類の両面印字済み記録媒体の装填を促す表示を表示手段に表示することを特徴とする請求項５に記載の画像形成装置。
【請求項８】
前記制御手段は、前記トレイ指定手段により指定された給紙トレイに装填されている記録媒体について前記設定手段により設定された用紙種類及び両面綴じ方向の種類が、前記原稿画像の画像方向及び前記入力された綴じ方向と一致しないと判断した場合に、前記原稿画像の画像方向及び前記入力された綴じ方向と一致する用紙種類及び両面綴じ方向の種類の印字済み用紙の装填を促す表示を表示手段に表示することを特徴とする請求項５に記載の画像形成装置。
【請求項９】
両面印字済み記録媒体を含む記録媒体を装填可能な複数の給紙トレイを有し、原稿画像に基づいて、何れかの前記給紙トレイから記録媒体を給紙し、当該給紙した記録媒体上に画像を形成し出力する画像形成装置に用いられるコンピュータを、
前記給紙トレイに装填される両面印字済み記録媒体について、ポートレート又はランド
スケープについての用紙種類と、左右綴じ又は上綴じについての両面綴じ方向の種類とを設定する設定手段、
画像形成後の記録媒体に綴じ処理を施す際の綴じ方向を入力するための出力綴じ方向入力手段、
前記原稿画像の画像方向を判別する原稿判別手段、
前記記録媒体として両面印字済み記録媒体を用いる場合に、前記複数の給紙トレイに装填された記録媒体のうち、前記設定手段により設定された両面印字済み記録媒体の用紙種類及び両面綴じ方向の種類が前記原稿判別手段により判別された原稿画像の画像方向及び前記出力綴じ方向入力手段により入力された綴じ方向と一致する両面印字済み記録媒体を選択する制御手段、
として機能させるためのプログラム。
【請求項１０】
前記制御手段は、前記複数の給紙トレイの何れかに、前記設定手段により設定された用紙種類が前記原稿判別手段により判別された原稿画像の画像方向と一致する両面印字済み記録媒体が装填されているか否かを判断し、前記複数の給紙トレイの何れにも装填されていないと判断した場合に、前記原稿画像の画像方向と一致する用紙種類の両面印字済み記録媒体の装填を促す表示を表示手段に表示することを特徴とする請求項９に記載のプログラム。
【請求項１１】
前記制御手段は、前記複数の給紙トレイの何れかに、前記設定手段により設定された用紙種類が前記原稿判別手段により判別された原稿画像の画像方向と一致する両面印字済み記録媒体が装填されていると判断した場合に、その両面印字済み記録媒体について前記設定手段により設定された両面綴じ方向の種類が前記出力綴じ方向入力手段により入力された綴じ方向と一致するか否かを判断し、一致しないと判断した場合に、前記入力された綴じ方向と一致する両面綴じ方向の種類の両面印字済み記録媒体の装填を促す表示を表示手段に表示することを特徴とする請求項１０に記載のプログラム。
【請求項１２】
前記制御手段は、前記複数の給紙トレイの何れかに、前記設定手段により設定された用紙種類及び両面綴じ方向の種類が前記原稿判別手段により判別された原稿画像の画像方向及び前記出力綴じ方向入力手段により入力された綴じ方向と一致する両面印字済み記録媒体が装填されているか否かを判断し、前記複数の給紙トレイの何れにも装填されていないと判断した場合に、前記原稿画像の画像方向及び前記入力された綴じ方向と一致する用紙種類及び両面綴じ方向の種類の両面印字済み記録媒体の装填を促す表示を表示手段に表示することを特徴とする請求項９に記載のプログラム。
【請求項１３】
両面印字済み記録媒体を含む記録媒体を装填可能な複数の給紙トレイを有し、原稿画像に基づいて、何れかの前記給紙トレイから記録媒体を給紙し、当該給紙した記録媒体上に画像を形成し出力する画像形成装置に用いられるコンピュータを、
前記給紙トレイに装填される両面印字済み記録媒体について、ポートレート又はランドスケープについての用紙種類と、左右綴じ又は上綴じについての両面綴じ方向の種類とを設定する設定手段、
画像形成後の記録媒体に綴じ処理を施す際の綴じ方向を入力するための出力綴じ方向入力手段、
前記複数の給紙トレイのうち、画像形成に用いる記録媒体を給紙する給紙トレイを指定するトレイ指定手段、
前記原稿画像の画像方向を判別する原稿判別手段、
前記記録媒体として両面印字済み記録媒体を用いる場合に、前記トレイ指定手段により指定された給紙トレイに装填されている記録媒体について前記設定手段により設定された用紙種類及び両面綴じ方向の種類が、前記原稿判別手段により判別された原稿画像の画像方向及び前記出力綴じ方向入力手段により入力された綴じ方向と一致するか否かを判断し
、前記原稿画像の画像方向及び前記入力された綴じ方向と一致しないと判断した場合に、画像形成動作を行わないように制御する制御手段、
として機能させるためのプログラム。
【請求項１４】
前記制御手段は、前記トレイ指定手段により指定された給紙トレイに装填されている記録媒体について前記設定手段により設定された用紙種類が、前記原稿画像の画像方向と一致しないと判断した場合に、前記原稿画像の画像方向と一致する用紙種類の両面印字済み記録媒体の装填を促す表示を表示手段に表示することを特徴とする請求項１３に記載のプログラム。
【請求項１５】
前記制御手段は、前記トレイ指定手段により指定された給紙トレイに装填されている記録媒体について前記設定手段により設定された両面綴じ方向の種類が、前記入力された綴じ方向と一致しないと判断した場合に、前記入力された綴じ方向と一致する両面綴じ方向の種類の両面印字済み記録媒体の装填を促す表示を表示手段に表示することを特徴とする請求項１３に記載のプログラム。
【請求項１６】
前記制御手段は、前記トレイ指定手段により指定された給紙トレイに装填されている記録媒体について前記設定手段により設定された用紙種類及び両面綴じ方向の種類が、前記原稿画像の画像方向及び前記入力された綴じ方向と一致しないと判断した場合に、前記原稿画像の画像方向及び前記入力された綴じ方向と一致する用紙種類及び両面綴じ方向の種類の印字済み用紙の装填を促す表示を表示手段に表示することを特徴とする請求項１３に記載のプログラム。
【発明の詳細な説明】
【技術分野】
【０００１】
本発明は、両面印字済み記録媒体に画像を形成する画像形成装置及びプログラムに関する。
【背景技術】
【０００２】
複写機、プリンタ、ファクシミリ等の画像形成装置において、レターヘッド等の印字済み記録媒体を用いて画像形成を行うと、画像と印字済み記録媒体の向きの不一致によるミスコピーが生じてしまうことがある。
【０００３】
そこで、例えば、特許文献１には、レターヘッド等の給紙トレイへのセット状態（用紙の上下方向の向き、用紙の裏表の向き）を操作表示部から設定可能とし、画像を形成する際には、設定された用紙の上下方向の向きと画像の画像形成方向とが一致しているか否かを判定し、一致していない場合は、画像を回転させて印刷を行う技術が記載されている。また、用紙の裏表の向きの設定が、所定の画像が印刷されるべき印刷面と逆の向きとなるように設定されているか否かを判定し、用紙の裏表の向きの設定が、所定の画像が印刷されるべき印刷面とは逆の向きになっている場合、画像の、用紙の裏表各面への印刷順序を変更して印刷を行う技術も記載されている。
【特許文献１】特開２００４−１７７７４１号公報
【発明の開示】
【発明が解決しようとする課題】
【０００４】
ところで、両面印刷に使用される両面印字済み記録媒体は、図１８（ａ）〜（ｄ）に示すように、ポートレート／左右綴じ用、ポートレート／上綴じ用、ランドスケープ／左右綴じ用、ランドスケープ／上綴じ用の、印字方向が異なる４種類が存在する。図１８（ａ）、（ｂ）に示すポートレート用の両面印字済み記録媒体は、原稿画像の画像方向がポートレート（長辺を縦とする方向）である場合に使用する記録媒体であり、図１８（ｃ）（ｄ）に示すランドスケープ用の両面印字済み記録媒体は、原稿画像の画像方向がランドスケープ（長辺を横とする方向）である場合に使用する記録媒体である。図１８（ａ）、（ｃ）に示す左右綴じ用の両面印字済み記録媒体は、画像形成後、左側又は右側で綴じて製本する場合に使用する記録媒体であり、図１８（ｂ）、（ｄ）に示す上綴じ用の両面印字済み記録媒体は、画像形成後、上側で綴じて製本する場合に使用する記録媒体である。左右閉じ用の両面印字済み用紙は、図１８（ａ）、（ｃ）に示すように、裏表の天地方向は一致している。上綴じ用の記録媒体は、図１８（ｂ）、（ｄ）に示すように、見開きにしたときに見やすいように、裏表の天地方向は逆となっている。
【０００５】
画像形成後の記録媒体を左右綴じ又は上綴じして出力したい場合、ユーザは、操作表示部から綴じ方向（左右綴じ又は上綴じ）を出力設定する。画像形成装置では、出力設定が左右綴じであれば、記録媒体の裏表面の画像の天地方向が一致するように画像形成を行い、出力設定が上綴じであれば、記録媒体の裏表面の画像の天地方向が逆になるように画像形成を行う。
【０００６】
図１９に、ポートレートの両面印字済み記録媒体を使用して画像を形成する際の、綴じ方向の出力設定と両面印字済み記録媒体の綴じ方向との関係を示す。
図１９（ａ）は、画像形成に使用する原稿画像（１ページ目、２ページ目）を示す。図１９（ｂ）は、出力設定を左右綴じとし、左右綴じ用の両面印字済み記録媒体に画像形成を行った場合の出力例を示す。図１９（ｃ）は、出力設定を左右綴じとし、上綴じ用の両面印字済み記録媒体に画像形成を行った場合の出力例を示す。図１９（ｄ）は、出力設定を上綴じとし、左右綴じ用の両面印字済み記録媒体に画像形成を行った場合の出力例を示す。図１９（ｅ）は、出力設定を上綴じとし、上綴じ用の両面印字済み記録媒体に画像形成を行った場合の出力例を示す。
【０００７】
図１９（ｃ）、図１９（ｄ）に示すように、出力設定された綴じ方向と両面印字済み記録媒体の綴じ方向とが一致しない場合、裏面に画像形成される画像の天地方向と両面印字済み記録媒体の裏面の天地方向が逆になる。
【０００８】
図２０に、ランドスケープの両面印字済み記録媒体を使用して画像を形成する際の、綴じ方向の出力設定と両面印字済み記録媒体の綴じ方向との関係を示す。
図２０（ａ）は、画像形成に使用する原稿画像（１ページ目、２ページ目）を示す。図２０（ｂ）は、出力設定を左右綴じとし、左右綴じ用の両面印字済み記録媒体に画像形成を行った場合の出力例を示す。図２０（ｃ）は、出力設定を左右綴じとし、上綴じ用の両面印字済み記録媒体に画像形成を行った場合の出力例を示す。図２０（ｄ）は、出力設定を上綴じとし、左右綴じ用の両面印字済み記録媒体に画像形成を行った場合の出力例を示す。図２０（ｅ）は、出力設定を上綴じとし、上綴じ用の両面印字済み記録媒体に画像形成を行った場合の出力例を示す。
【０００９】
ランドスケープの場合も同様に、図２０（ｃ）、図２０（ｄ）に示すように、出力設定された綴じ方向と両面印字済み記録媒体の綴じ方向とが一致しない場合、裏面に画像形成される画像の天地方向と両面印字済み記録媒体の裏面の天地方向が逆になる。
【００１０】
更に、ポートレートの画像をランドスケープの記録媒体に画像形成したり、ランドスケープの画像をポートレートの記録媒体に画像形成したりすると、画像形成された画像の天地方向と記録媒体の天地方向とが合わなくなる。
【００１１】
しかしながら、従来、両面印字済み記録媒体に画像形成を行う場合に、出力設定された綴じ方向と、使用される両面印字済み記録媒体の綴じ方向との関係は考慮されていない。特許文献１においても、これらの関係を考慮した制御は行われていない。そのため、図１９（ｃ）（ｄ）、図２０（ｃ）（ｄ）に示すように、画像と両面印字済み記録媒体の天地方向とが合わない場合が生じていた。
【００１２】
本発明の課題は、両面印字済み記録媒体に画像形成して出力する際に、画像の天地方向と両面印字済み記録媒体の天地方向とが合わない状態で出力してしまうことを防止することである。
【課題を解決するための手段】
【００１３】
上記課題を解決するため、請求項１に記載の発明は、
両面印字済み記録媒体を含む記録媒体を装填可能な複数の給紙トレイを有し、原稿画像に基づいて、何れかの前記給紙トレイから記録媒体を給紙し、当該給紙した記録媒体上に画像を形成し出力する画像形成装置において、
前記給紙トレイに装填される両面印字済み記録媒体について、ポートレート又はランドスケープについての用紙種類と、左右綴じ又は上綴じについての両面綴じ方向の種類とを設定する設定手段と、
画像形成後の記録媒体に綴じ処理を施す際の綴じ方向を入力するための出力綴じ方向入力手段と、
前記原稿画像の画像方向を判別する原稿判別手段と、
前記記録媒体として両面印字済み記録媒体を用いる場合に、前記複数の給紙トレイに装填された記録媒体のうち、前記設定手段により設定された両面印字済み記録媒体の用紙種類及び両面綴じ方向の種類が前記原稿判別手段により判別された原稿画像の画像方向及び前記出力綴じ方向入力手段により入力された綴じ方向と一致する両面印字済み記録媒体を選択する制御手段と、
を備えたことを特徴としている。
【００１４】
請求項２に記載の発明は、請求項１に記載の発明において、
前記制御手段は、前記複数の給紙トレイの何れかに、前記設定手段により設定された用紙種類が前記原稿判別手段により判別された原稿画像の画像方向と一致する両面印字済み記録媒体が装填されているか否かを判断し、前記複数の給紙トレイの何れにも装填されていないと判断した場合に、前記原稿画像の画像方向と一致する用紙種類の両面印字済み記録媒体の装填を促す表示を表示手段に表示することを特徴としている。
【００１５】
請求項３に記載の発明は、請求項２に記載の発明において、
前記制御手段は、前記複数の給紙トレイの何れかに、前記設定手段により設定された用紙種類が前記原稿判別手段により判別された原稿画像の画像方向と一致する両面印字済み記録媒体が装填されていると判断した場合に、その両面印字済み記録媒体について前記設定手段により設定された両面綴じ方向の種類が前記出力綴じ方向入力手段により入力された綴じ方向と一致するか否かを判断し、一致しないと判断した場合に、前記入力された綴じ方向と一致する両面綴じ方向の種類の両面印字済み記録媒体の装填を促す表示を表示手段に表示することを特徴とすることを特徴としている。
【００１６】
請求項４に記載の発明は、請求項１に記載の発明において、
前記制御手段は、前記複数の給紙トレイの何れかに、前記設定手段により設定された用紙種類及び両面綴じ方向の種類が前記原稿判別手段により判別された原稿画像の画像方向及び前記出力綴じ方向入力手段により入力された綴じ方向と一致する両面印字済み記録媒体が装填されているか否かを判断し、前記複数の給紙トレイの何れにも装填されていないと判断した場合に、前記原稿画像の画像方向及び前記入力された綴じ方向と一致する用紙種類及び両面綴じ方向の種類の両面印字済み記録媒体の装填を促す表示を表示手段に表示することを特徴としている。
【００１７】
請求項５に記載の発明は、
両面印字済み記録媒体を含む記録媒体を装填可能な複数の給紙トレイを有し、原稿画像に基づいて、何れかの前記給紙トレイから記録媒体を給紙し、当該給紙した記録媒体上に画像を形成し出力する画像形成装置において、
前記給紙トレイに装填される両面印字済み記録媒体について、ポートレート又はランドスケープについての用紙種類と、左右綴じ又は上綴じについての両面綴じ方向の種類とを設定する設定手段と、
画像形成後の記録媒体に綴じ処理を施す際の綴じ方向を入力するための出力綴じ方向入力手段と、
前記複数の給紙トレイのうち、画像形成に用いる記録媒体を給紙する給紙トレイを指定
するトレイ指定手段と、
前記原稿画像の画像方向を判別する原稿判別手段と、
前記記録媒体として両面印字済み記録媒体を用いる場合に、前記トレイ指定手段により指定された給紙トレイに装填されている記録媒体について前記設定手段により設定された用紙種類及び両面綴じ方向の種類が、前記原稿判別手段により判別された原稿画像の画像方向及び前記出力綴じ方向入力手段により入力された綴じ方向と一致するか否かを判断し、前記原稿画像の画像方向及び前記入力された綴じ方向と一致しないと判断した場合に、画像形成動作を行わないように制御する制御手段と、
を備えたことを特徴としている。
【００１８】
請求項６に記載の発明は、請求項５に記載の発明において、
前記制御手段は、前記トレイ指定手段により指定された給紙トレイに装填されている記録媒体について前記設定手段により設定された用紙種類が、前記原稿画像の画像方向と一致しないと判断した場合に、前記原稿画像の画像方向と一致する用紙種類の両面印字済み記録媒体の装填を促す表示を表示手段に表示することを特徴としている。
【００１９】
請求項７に記載の発明は、請求項５に記載の発明において、
前記制御手段は、前記トレイ指定手段により指定された給紙トレイに装填されている記録媒体について前記設定手段により設定された両面綴じ方向の種類が、前記入力された綴じ方向と一致しないと判断した場合に、前記入力された綴じ方向と一致する両面綴じ方向の種類の両面印字済み記録媒体の装填を促す表示を表示手段に表示することを特徴としている。
【００２０】
請求項８に記載の発明は、請求項５に記載の発明において、
前記制御手段は、前記トレイ指定手段により指定された給紙トレイに装填されている記録媒体について前記設定手段により設定された用紙種類及び両面綴じ方向の種類が、前記原稿画像の画像方向及び前記入力された綴じ方向と一致しないと判断した場合に、前記原稿画像の画像方向及び前記入力された綴じ方向と一致する用紙種類及び両面綴じ方向の種類の印字済み用紙の装填を促す表示を表示手段に表示することを特徴としている。
【００２１】
請求項９に記載の発明は、
両面印字済み記録媒体を含む記録媒体を装填可能な複数の給紙トレイを有し、原稿画像に基づいて、何れかの前記給紙トレイから記録媒体を給紙し、当該給紙した記録媒体上に画像を形成し出力する画像形成装置に用いられるコンピュータを、
前記給紙トレイに装填される両面印字済み記録媒体について、ポートレート又はランドスケープについての用紙種類と、左右綴じ又は上綴じについての両面綴じ方向の種類とを設定する設定手段、
画像形成後の記録媒体に綴じ処理を施す際の綴じ方向を入力するための出力綴じ方向入力手段、
前記原稿画像の画像方向を判別する原稿判別手段、
前記記録媒体として両面印字済み記録媒体を用いる場合に、前記複数の給紙トレイに装填された記録媒体のうち、前記設定手段により設定された両面印字済み記録媒体の用紙種類及び両面綴じ方向の種類が前記原稿判別手段により判別された原稿画像の画像方向及び前記出力綴じ方向入力手段により入力された綴じ方向と一致する両面印字済み記録媒体を選択する制御手段、
として機能させるためのプログラムであることを特徴としている。
【００２２】
請求項１０に記載の発明は、請求項９に記載の発明において、
前記制御手段は、前記複数の給紙トレイの何れかに、前記設定手段により設定された用紙種類が前記原稿判別手段により判別された原稿画像の画像方向と一致する両面印字済み記録媒体が装填されているか否かを判断し、前記複数の給紙トレイの何れにも装填されていないと判断した場合に、前記原稿画像の画像方向と一致する用紙種類の両面印字済み記録媒体の装填を促す表示を表示手段に表示することを特徴としている。
【００２３】
請求項１１に記載の発明は、請求項１０に記載の発明において、
前記制御手段は、前記複数の給紙トレイの何れかに、前記設定手段により設定された用紙種類が前記原稿判別手段により判別された原稿画像の画像方向と一致する両面印字済み記録媒体が装填されていると判断した場合に、その両面印字済み記録媒体について前記設定手段により設定された両面綴じ方向の種類が前記出力綴じ方向入力手段により入力された綴じ方向と一致するか否かを判断し、一致しないと判断した場合に、前記入力された綴じ方向と一致する両面綴じ方向の種類の両面印字済み記録媒体の装填を促す表示を表示手段に表示することを特徴とすることを特徴としている。
【００２４】
請求項１２に記載の発明は、請求項９に記載の発明において、
前記制御手段は、前記複数の給紙トレイの何れかに、前記設定手段により設定された用
紙種類及び両面綴じ方向の種類が前記原稿判別手段により判別された原稿画像の画像方向及び前記出力綴じ方向入力手段により入力された綴じ方向と一致する両面印字済み記録媒体が装填されているか否かを判断し、前記複数の給紙トレイの何れにも装填されていないと判断した場合に、前記原稿画像の画像方向及び前記入力された綴じ方向と一致する用紙種類及び両面綴じ方向の種類の両面印字済み記録媒体の装填を促す表示を表示手段に表示することを特徴としている。
【００２５】
請求項１３に記載の発明は、
両面印字済み記録媒体を含む記録媒体を装填可能な複数の給紙トレイを有し、原稿画像に基づいて、何れかの前記給紙トレイから記録媒体を給紙し、当該給紙した記録媒体上に画像を形成し出力する画像形成装置に用いられるコンピュータを、
前記給紙トレイに装填される両面印字済み記録媒体について、ポートレート又はランドスケープについての用紙種類と、左右綴じ又は上綴じについての両面綴じ方向の種類とを設定する設定手段、
画像形成後の記録媒体に綴じ処理を施す際の綴じ方向を入力するための出力綴じ方向入力手段、
前記複数の給紙トレイのうち、画像形成に用いる記録媒体を給紙する給紙トレイを指定するトレイ指定手段、
前記原稿画像の画像方向を判別する原稿判別手段、
前記記録媒体として両面印字済み記録媒体を用いる場合に、前記トレイ指定手段により指定された給紙トレイに装填されている記録媒体について前記設定手段により設定された用紙種類及び両面綴じ方向の種類が、前記原稿判別手段により判別された原稿画像の画像方向及び前記出力綴じ方向入力手段により入力された綴じ方向と一致するか否かを判断し、前記原稿画像の画像方向及び前記入力された綴じ方向と一致しないと判断した場合に、画像形成動作を行わないように制御する制御手段、
として機能させるためのプログラムであることを特徴としている。
【００２６】
請求項１４に記載の発明は、請求項１３に記載の発明において、
前記制御手段は、前記トレイ指定手段により指定された給紙トレイに装填されている記録媒体について前記設定手段により設定された用紙種類が、前記原稿画像の画像方向と一致しないと判断した場合に、前記原稿画像の画像方向と一致する用紙種類の両面印字済み記録媒体の装填を促す表示を表示手段に表示することを特徴としている。
【００２７】
請求項１５に記載の発明は、請求項１３に記載の発明において、
前記制御手段は、前記トレイ指定手段により指定された給紙トレイに装填されている記
録媒体について前記設定手段により設定された両面綴じ方向の種類が、前記入力された綴じ方向と一致しないと判断した場合に、前記入力された綴じ方向と一致する両面綴じ方向の種類の両面印字済み記録媒体の装填を促す表示を表示手段に表示することを特徴としている。
【００２８】
請求項１６に記載の発明は、請求項１３に記載の発明において、
前記制御手段は、前記トレイ指定手段により指定された給紙トレイに装填されている記録媒体について前記設定手段により設定された用紙種類及び両面綴じ方向の種類が、前記原稿画像の画像方向及び前記入力された綴じ方向と一致しないと判断した場合に、前記原稿画像の画像方向及び前記入力された綴じ方向と一致する用紙種類及び両面綴じ方向の種類の印字済み用紙の装填を促す表示を表示手段に表示することを特徴としている。
【発明の効果】
【００２９】
請求項１、９に記載の発明によれば、両面印字済み記録媒体に画像形成して出力する際に、複数の給紙トレイに装填された記録媒体のうち、原稿画像の画像方向と、入力された出力綴じ方向とに応じた印字方向の両面印字済み記録媒体を自動的に選択するので、画像の天地方向と両面印字済み記録媒体の天地方向とが合わない状態で出力してしまうことを防止することができる。
【００３０】
請求項２〜４、１０〜１２に記載の発明によれば、ユーザが、装填すべき両面印字済み記録媒体の印字方向を認識し、給紙トレイに装填することが可能となり、画像の天地方向と両面印字済み記録媒体の天地方向とが合わない状態で出力してしまうことを防止することができる。
【００３１】
請求項５、１３に記載の発明によれば、画像形成に用いる記録媒体を給紙するトレイとして指定された給紙トレイに装填されている記録媒体が、原稿画像の画像方向及び入力された出力綴じ方向に応じた印字方向の両面印字済み記録媒体でない場合に、画像形成動作を行わないので、画像の天地方向と両面印字済み記録媒体の天地方向とが合わない状態で出力してしまうことを防止することができる。
【００３２】
請求項６〜８、１４〜１６に記載の発明によれば、ユーザが、装填すべき両面印字済み記録媒体の印字方向を認識し、指定した給紙トレイに装填することが可能となり、画像の天地方向と両面印字済み記録媒体の天地方向とが合わない状態で出力してしまうことを防止することができる。
【発明を実施するための最良の形態】
【００３３】
以下、図を参照して、本発明の第１〜第２の実施の形態を詳細に説明する。
第１〜第２の実施の形態においては、両面印字済み記録媒体として両面印字済み用紙（以下、単に印字済み用紙と称する）を用いる場合を例にとり説明する。
【００３４】
〔第１の実施の形態〕
まず、第１の実施の形態における構成を説明する。
図１に、本発明に係る画像形成装置１００の機能構成例を示す。図１に示すように、画像形成装置１００は、制御部１０、操作表示部２０、スキャナ部３０、ＡＤＦ（Auto Document Feeder）部４０、プリンタ部５０、プリントコントローラ部６０、後処理部７０を備えて構成されている。
【００３５】
制御部１０は、ＣＰＵ１１、プログラムメモリ１２、ＲＡＭ（Random Access Memory）１３、不揮発メモリ１４、読み取り処理部１５、ＤＲＡＭ（Dynamic Random Access Memory）制御ＩＣ１６、圧縮／伸張ＩＣ１７、画像メモリ（ＤＲＡＭ）１８、書き込み処理部１９等を備えて構成されている。
【００３６】
ＣＰＵ１１は、プログラムメモリ１２に記憶されている制御プログラムを読み出してＲＡＭ１３に展開し、展開したプログラムに従って画像形成装置１００の各部の動作を集中制御する。また、ＣＰＵ１１は、読み出したプログラムに従って、後述するプリント処理（図７参照）、用紙選択処理Ａ（図８、図９参照）、用紙選択処理Ｂ（図１１、図１２参照）を始めとする各種処理を実行する。
【００３７】
プログラムメモリ１２は、Ｆｌａｓｈメモリ等により構成され、画像形成装置１００に対応する制御プログラムや、プリント処理プログラム、用紙選択処理Ａプログラム、用紙選択処理Ｂプログラムを始めとする各種処理プログラム等を記憶する。プログラムは、コンピュータが読み取り可能なプログラムコードの形態で格納され、ＣＰＵ１１は、当該プログラムコードに従った動作を逐次実行する。
【００３８】
ＲＡＭ１３は、ＣＰＵ１１により実行制御される各種処理において、プログラムメモリ１２から読み出されたプログラム、入力、若しくは出力データ及びパラメータ等の一時的な格納領域となる。
【００３９】
不揮発メモリ１４は、ＣＰＵ１１からの指示に従って、トレイ情報１４１、ジョブ情報１４２等を記憶する。
【００４０】
図２に、不揮発メモリ１４におけるトレイ情報１４１のデータ格納例を示す。トレイ情報１４１は、操作表示部２０の設定画面（詳細後述）を介して入力された各給紙トレイの設定情報であり、不揮発メモリ１４においては、図２に示すように、給紙トレイ毎に、その給紙トレイに格納されている用紙種類情報（印字済み用紙、普通紙、再生紙、上質紙・・・）、用紙色情報（例えば、白、白、緑、黄、・・・）、印字済み用紙種類情報（ポートレート、ランドスケープ）、印字済み用紙綴じ方向情報（左右綴じ、上綴じ）を対応付けて格納する。なお、印字済み用紙種類情報、印字済み綴じ方向情報は、用紙種類情報が印字済み用紙の場合に有効となる（ＣＰＵ１１における制御に使用される）。
【００４１】
図３に、不揮発メモリ１４におけるジョブ情報１４２のデータ格納例を示す。ジョブ情報１４２は、操作表示部２０の設定画面を介して入力されたジョブ情報、又は、プリントコントローラ部６０を介してホストコンピュータ２００から入力されたジョブ情報であり、設定部数情報（１〜ｎ）、プリントモード情報（片面、両面）、用紙選択情報（トレイ１、トレイ２、トレイ３、トレイ４、自動）、原稿サイズ情報（Ａ４、Ｂ４、Ａ３、・・・）、原稿種類情報（ポートレート、ランドスケープ）、出力綴じ方向情報（左右綴じ、上綴じ）、出力用紙種情報（普通紙、印字済み用紙、・・・）等を格納する。ここで、原稿種類情報は、原稿画像の画像方向を示す情報である。出力綴じ方向情報は、画像形成後、後処理部７０において画像形成済みの用紙に綴じ処理を施す際の綴じ方向を示す情報である。
【００４２】
読み取り処理部１５は、スキャナ部３０により読み取られたアナログ画像信号をデジタル画像データに変換してＤＲＡＭ制御ＩＣ１６へ出力する。
【００４３】
ＤＲＡＭ制御ＩＣ１６は、ＣＰＵ１１からの制御に基づいて、読み取り処理部１５から入力された画像データ、プリントコントローラ部６０から入力された画像データを圧縮／伸張ＩＣ１７により圧縮させ、圧縮された画像データを画像メモリ１８の圧縮メモリ１８ａに書き込んで一時的に記憶させる。また、ＣＰＵ１１から画像データ出力の指示があると、ＤＲＡＭ制御ＩＣ１６は、圧縮メモリ１８ａに記憶されている出力指示された画像データを圧縮／伸張ＩＣ１７により伸張させ、伸張された画像データをページメモリ１８ｂに記憶させる。そして、ＣＰＵ１１からの指示に従って、ページメモリ１８ｂに記憶された画像データを読み出して書き込み処理部１９に出力する。また、ＤＲＡＭ制御ＩＣ１６から入力されたジョブ情報をＣＰＵ１１に出力する。ＣＰＵ１１は、ＤＲＡＭ制御ＩＣ１６から入力されたジョブ情報を不揮発メモリ１４に格納する。
【００４４】
圧縮／伸張ＩＣ１７は、ＤＲＡＭ制御ＩＣ１６の制御により画像データの圧縮処理、伸張処理を行うＩＣである。
画像メモリ１８は、ＤＲＡＭにより構成され、圧縮メモリ１８ａ、ページメモリ１８ｂを有している。圧縮メモリ１８ａは、ＤＲＡＭ制御ＩＣ１６の制御により、圧縮／伸張ＩＣ１７で圧縮された画像データを一時的に記憶する。ページメモリ１８ｂは、圧縮／伸張ＩＣ１７で伸張された画像データを一時的に記憶する。
【００４５】
書き込み処理部１９は、圧縮／伸張ＩＣ１７から入力される画像データに基づくＰＷＭ(Pulse Width Modulation)信号を生成し、プリンタ部５０へ出力する。
【００４６】
操作表示部２０は、操作表示制御部２１と、ＬＣＤ（Liquid Crystal Display）２２とを備えて構成されている。
操作表示制御部２１は、ＣＰＵ１１からの表示信号を受信して、ＬＣＤ２２における表示制御を行う。また、ＬＣＤ２２上のタッチパネルから入力される操作信号をＣＰＵ１１へ出力する。
ＬＣＤ２２は、操作表示制御部２１から入力される表示信号の指示に従って画面上に各種設定画面や画像の状態表示、各機能の動作状況等の表示を行う。ＬＣＤの画面上は、透明電極を格子状に配置した感圧式（抵抗膜圧式）のタッチパネルが構成されており、手指やタッチペン等で押下された力点のＸＹ座標を電圧値で検出し、検出された位置信号を操作信号として操作表示制御部２１に出力する。
操作表示部２０は、その他、図示しない数字ボタンやスタートボタン等の各種操作ボタンを備えており、ボタン操作による操作信号を操作表示制御部２１からＣＰＵ１１に出力する。
【００４７】
本実施の形態において、操作表示部２０は、印字済み用紙に画像形成を行う場合に、ユーザが印字済み用紙に関する設定を行うための設定画面をＬＣＤ２２に表示する。
【００４８】
図４〜図５に、印字済み用紙に関する設定を行うためにＬＣＤ２２に表示される一連の画面を示す。
図４（ａ）は、ＬＣＤ２２に表示される基本画面２２１の一例を示す図である。基本画面２２１は、ＬＣＤ２２に表示される最上位階層の画面であり、設定メニューを示す各種操作ボタンが表示されている。当該基本画面２２１から「用紙設定」ボタンＢ１が押下されると、図４（ｂ）に示す用紙設定画面２２２が表示される。この用紙設定画面２２２から「トレイ設定」ボタンＢ４が押下されると、図４（ｃ）に示すトレイ選択画面２２３が表示される。当該トレイ選択画面２２３から何れかのトレイボタンが押下され、設定対象となる給紙トレイが選択されると、トレイボタンの番号に応じた給紙トレイに対して現在設定されている情報がポップアップ表示される。このポップアップ画面から「設定変更」ボタンＢ５が押下されると、図５（ａ）に示すように、選択された給紙トレイに対する設定変更の変更項目を選択するための５つの操作ボタン（「用紙種類」ボタンＢ６、「色紙」ボタン、「パンチ穴」ボタン、「表裏調整」ボタン、「印字済み用紙設定」ボタンＢ７）及び、現在の各項目の設定内容を示す表示が表示された設定変更画面２２４が表示される。
【００４９】
図５（ａ）に示す設定変更画面２２４から「用紙種類」ボタンＢ６が押下されると、図５（ｂ）に示す用紙種類設定画面２２５が表示される。用紙種類設定画面２２５には、各種用紙を選択するための、各種用紙の種類が表示された選択ボタンが表示されており、当該画面から「印字済み用紙」ボタンＢ８が押下され、「ＯＫ」ボタンが押下されると、選択された給紙トレイに設定された用紙種類の内容がＣＰＵ１１に出力され、不揮発メモリ１４のトレイ情報１４１の該当するトレイ番号の用紙種類情報として書き込まれ、画面は図５（ａ）に示す設定変更画面２２４に戻る。設定変更画面２２４から「印字済み用紙設定」ボタンＢ７が押下されると、図５（ｃ）に示す印字済み用紙設定画面２２６が表示される。印字済み用紙設定画面２２６は、印字済み用紙の種類を選択するための「ポートレート」ボタンＢ９、「ランドスケープ」ボタンＢ１０、両面綴じ方向を選択するための「左右綴じ」ボタンＢ１１、「上綴じ」ボタンＢ１２が表示されている。当該画面２２６から印字済み用紙の種類及び綴じ方向が選択され、「ＯＫ」ボタンが押下されると、選択されたトレイ番号、印字済み用紙の種類及び綴じ方向の情報がＣＰＵ１１に出力され、不揮発メモリ１４のトレイ情報１４１の該当するトレイ番号の印字済み用紙種類情報、印字済み用紙綴じ方向情報として書き込まれ、画面は図５（ａ）に戻る。同様の手順で、用紙色、パンチ穴、表裏調整等を設定することができる。
【００５０】
また、操作表示部２０は、ユーザがコピージョブに関する出力設定を行うための設定画面をＬＣＤ２２に表示する。
【００５１】
例えば、コピージョブで印字済み用紙を用いて綴じ処理を行うためには、出力綴じ方向を設定する必要がある。出力綴じ方向は、以下の手順で設定される。図４（ａ）に示す基本画面２２１から「仕上り」ボタンＢ１６が押下されると、図６（ａ）に示すように基本画面２２１に設定する項目を選択するためのポップアップ画面が表示され、当該画面から「排紙方法」ボタンＢ１３が押下されると、図６（ｂ）に示す出力綴じ方向（両面綴じ方向）を選択するための「上綴じ」ボタン、「左右綴じ」ボタンを含むポップアップ画面が更に表示される。当該画面から「上綴じ」ボタンＢ１４又は「左右綴じ」ボタンＢ１５が押下され、「ＯＫ」ボタンが押下されると、選択された出力綴じ方向の情報がＣＰＵ１１に出力され、不揮発メモリ１４のジョブ情報１４２の出力綴じ方向情報として書き込まれる。
【００５２】
また、プリントモード（片面／両面）は、以下の手順で設定される。図４（ａ）に示す基本画面２２１の中央部に配置されている「片面／両面」ボタンＢ１７が押下されると、片面／両面選択画面（図示せず）が表示され、当該画面から「片面」又は「両面」が選択されると、選択された内容が不揮発メモリ１４のジョブ情報１４２のプリントモード情報として書き込まれる。
【００５３】
また、原稿種類情報は、以下の手順で設定される。図４（ａ）に示す基本画面２２１の上部に配置されている「集約／原稿」ボタンＢ３が押下されると、原稿画像の画像方向を選択するための選択画面（図示せず）が表示され、当該画面からポートレート又はランドスケープが選択されると、選択された内容が不揮発メモリ１４にジョブ情報１４２の原稿種類情報として書き込まれる。
【００５４】
また、用紙選択情報は、以下の手順で設定される。図４（ａ）に示す基本画面２２１の中央部に配置されている「用紙」ボタンＢ２が押下されると、トレイ１〜トレイ４、自動が選択可能な操作ボタンが配置された出力トレイ選択画面（図示せず）が表示され、当該画面からトレイ１〜トレイ４、自動の何れかが選択されると、選択されたトレイ番号が不揮発メモリ１４のジョブ情報１４２の用紙選択情報として書き込まれる。また、出力トレイ選択画面には、出力用紙設定ボタンが設けられており、当該ボタンが押下されると、図５（ｂ）と同様の、用紙の種類を選択するための操作ボタンが配置された用紙種類選択画面が表示され、当該画面から何れか出力に使用する種類の用紙が選択されると、選択された内容が不揮発メモリ１４のジョブ情報１４２の出力用紙種情報として書き込まれる。
【００５５】
設定部数は、数字ボタンの押下により設定が可能であり、数字ボタンが押下されると、押下された数字が不揮発メモリ１４のジョブ情報１４２の設定部数情報として書き込まれる。
【００５６】
原稿サイズ（Ａ４、Ａ３、Ｂ４・・・）は、ＡＤＦ４２の原稿トレイに原稿を載置すると、図示しないセンサにより原稿サイズが検出され、検出された原稿サイズが不揮発メモリ１４のジョブ情報１４２の原稿サイズ情報として書き込まれる。
【００５７】
なお、ホストコンピュータ２００から印刷データを送信して印刷を行うプリンタジョブの場合には、ホストコンピュータ２００のＬＣＤに表示される印刷条件設定画面（図示せず）からジョブ情報を入力することができる。印刷条件設定画面の表示に従って、入力部を介して設定部数情報、プリントモード情報、用紙選択情報情報、原稿サイズ情報、原稿種類情報、出力綴じ方向情報、出力用紙種情報が入力されると、入力された情報が、ジョブ情報として印刷データに付加され、通信制御部を介して画像形成装置１００に送信され、不揮発メモリ１４のジョブ情報１４２として書き込まれ、設定される。即ち、操作表示部２０及びホストコンピュータ２００は、出力綴じ方向入力手段、トレイ指定手段として機能する。
【００５８】
スキャナ部３０は、スキャナ制御部３１と、スキャナ３２とを備えて構成されている。
スキャナ制御部３１は、ＣＰＵ１１からの制御信号を受信して、スキャナ３２各部を駆動制御する。スキャナ３２は、プラテンガラスと、ＣＣＤ（Charge Coupled Device）と、光源とを備え、光源から原稿へ照明走査した光の反射光をＣＣＤにより結像して光電変換することにより原稿の画像を読み取り、読み取ったアナログ画像信号を読み取り処理部１５へ出力する。
【００５９】
ＡＤＦ部４０は、ＣＰＵ１１から入力される制御信号に基づきＡＤＦ４２の制御を行うＡＤＦ制御部４１と、ＡＤＦ４２とを備え、ＡＤＦ４２の原稿トレイに載置された原稿をスキャナ３２のプラテンガラス上に１枚ずつ自動給送する。
【００６０】
プリンタ部５０は、プリンタ制御部５１、プリンタ５２により構成されている。
プリンタ制御部５１は、ＣＰＵ１１から入力された制御信号に基づいて、プリンタ５２の各部の動作を制御する。また、プリンタ制御部５１は、後処理部７０の後処理制御部７１に接続されており、ＣＰＵ１１及び後処理制御部７１間のデータ通信の中継を行う。
【００６１】
プリンタ５２は、レーザ光源、感光ドラム、帯電器、現像器、転写部、複数の給紙トレイ（ここでは、トレイ１〜４）を有する給紙部、定着器、排紙部、記録媒体としての用紙を搬送するための搬送路及び各種ローラ等を備えて構成され、プリンタ制御部５１からの制御に従って、電子写真方式により用紙に画像を形成し出力する。即ち、プリンタ５２は、プリンタ制御部５１からの制御に従って、プリンタ制御部５１から指示されたサイズと向きの用紙をトレイ１〜４の何れかの給紙トレイから搬送するとともに、書き込み処理部１９から入力されたＰＷＭ信号に基づいて感光ドラム表面にレーザ光を照射することにより静電潜像を形成する。更に、プリンタ５２は、感光ドラム表面の静電潜像を含む領域にトナーを付着させ、給紙部から搬送された用紙にトナーを転写して画像を形成し、定着器で定着させた後、排紙部から排出する。
【００６２】
プリントコントローラ部６０は、コントローラ制御部６１、ＤＲＡＭ制御ＩＣ６２、画像メモリ６３、ＬＡＮＩＦ６４により構成されている。
【００６３】
コントローラ制御部６１は、プリントコントローラ部６０各部の動作を統括的に制御する。また、コントローラ制御部６１のＣＰＵは、プログラムメモリに記憶されたプログラムとの協働により、ＬＡＮＩＦ６４を介してホストコンピュータ２００から入力される印刷データを所定のページ記述言語によって画像形成装置１００で印刷可能なデータ形式の画像データに変換し、ホストコンピュータ２００から入力されるジョブ情報とともにＤＲＡＭ制御ＩＣ６２に出力する。
【００６４】
ＤＲＡＭ制御ＩＣ６２は、ＬＡＮＩＦ６４により受信された印刷データ及びジョブ情報をコントローラ制御部６１に出力するとともに、コントローラ制御部６１からの指示に従って、コントローラ制御部６１から入力された画像データ及びジョブ情報を画像メモリ６３へ一時的に格納する制御を行う。また、ＤＲＡＭ制御ＩＣ６２は、制御部１０のＤＲＡＭ制御ＩＣ１６とＰＣＩ（Peripheral Components Interconnect）バスで接続されており、コントローラ制御部６１からの指示に従って、画像メモリ６３から画像データ及びジョブ情報を読み出してＤＲＡＭ制御ＩＣ１６に出力する。
【００６５】
画像メモリ６３は、ＤＲＡＭから構成され、入力されたデータを一時的に格納する。
【００６６】
ＬＡＮＩＦ６４は、ＮＩＣ（Network Interface Card）やモデム等のＬＡＮ等のネットワークＮに接続するための通信インターフェースであり、ホストコンピュータ２００と印刷データを始めとするデータ送受信を行う。ホストコンピュータ２００から受信された印刷データは、ＤＲＡＭ制御ＩＣ６２に出力される。
【００６７】
後処理部７０は、後処理制御部７１、後処理装置７２を備えて構成される。後処理制御部７１は、プリンタ制御部５１を介してＣＰＵ１１から入力される制御信号に基づいて後処理装置７２各部の制御を行う。後処理装置７２は、後処理制御部７１からの制御信号に基づいて、プリンタ５２から搬入された画像形成済みの用紙のパンチ孔開け処理、ソート処理、綴じ処理等を行う。
【００６８】
ホストコンピュータ２００は、キーボード、マウス等により構成される入力部、ＬＣＤ等により構成される表示部、ホストコンピュータ２００を通信ネットワークＮに接続するための通信制御部、印刷対象のデータが記憶された記憶部等を備えたＰＣ（Personal Computer）等の端末装置である。ホストコンピュータ２００は、入力部を介して印刷対象のデータ（印刷データ）や印刷条件設定等が入力されると、印刷設定条件をジョブ情報として印刷データに付加し、通信制御部を介して画像形成装置１００に送信する。
【００６９】
次に、第１の実施の形態における動作について説明する。
図７に、ＣＰＵ１１により実行されるプリント（画像形成）処理を示す。当該処理は、ＣＰＵ１１と、プログラムメモリ１２に記憶されているプリント処理プログラムとの協働によるソフトウエア処理により実現される処理であり、操作表示部２０から出力用紙種情報として印字済み用紙が設定されてコピージョブのスタート指示が入力され、スキャナ部３０による原稿画像の読み取りが開始された際、或いは、ホストコンピュータ２００からプリントコントローラ部６０を介して印刷データ及び出力用紙種情報として印字済み用紙が指定されたジョブ情報が入力された際に実行される処理である。
【００７０】
まず、不揮発メモリ１４に記憶されているジョブ情報１４２の用紙選択情報が参照され、選択されている給紙トレイ（以下、指定トレイと称する）があるか否かが判断される（ステップＳ１）。用紙選択情報として「自動」が記憶されており、指定トレイがないと判断されると（ステップＳ１；ＮＯ）、図８、図９に示す用紙選択処理Ａが実行される（ステップＳ２）。
【００７１】
図８、図９に、用紙選択処理Ａを示す。当該処理は、ＣＰＵ１１と、プログラムメモリ１２に記憶されている用紙選択処理Ａプログラムとの協働によるソフトウエア処理により実現される処理である。当該処理の実行により原稿判別手段、制御手段が実現される。
【００７２】
用紙選択処理Ａにおいては、不揮発メモリ１４に記憶されているジョブ情報１４２の原稿種類情報が参照され、原稿画像の画像方向がポートレートであるかランドスケープであるかが判断される（ステップＳ１０１）。原稿画像の画像方向がポートレートであると判断された場合（ステップＳ１０１；ポートレート）、不揮発メモリ１４に記憶されているトレイ情報１４１の用紙種類情報及び印字済み用紙種類情報が参照され、ポートレートの印字済み用紙が何れかの給紙トレイにセットされているか否かが判断される（ステップＳ１０２）。ポートレートの印字済み用紙が何れの給紙トレイにもセットされていないと判断されると（ステップＳ１０２；ＮＯ）、操作表示部２０のＬＣＤ２２に「ポートレート印字済み用紙をセットしてください」というエラーメッセージが表示されるとともに（図１０（ａ）参照）、ＲＡＭ１３の用紙選択済みフラグ領域に０が格納され（ステップＳ１０３）、処理は図７のステップＳ４に移行する。
【００７３】
ステップＳ１０２において、ポートレートの印字済み用紙が何れかの給紙トレイにセットされていると判断された場合（ステップＳ１０２；ＹＥＳ）、ジョブ情報１４２の出力綴じ方向情報が参照され、出力設定された綴じ方向が判別される（ステップＳ１０４）。出力設定された綴じ方向が左右綴じであると判別された場合（ステップＳ１０４；左右綴じ）、トレイ情報１４１の用紙種類情報、印字済み用紙種類情報及び印字済み用紙綴じ方向情報が参照され、セットされているポートレートの印字済み用紙が左右綴じ用の印字済み用紙であるか否かが判断される（ステップＳ１０５）。セットされているポートレートの印字済み用紙が左右綴じ用の印字済み用紙ではないと判断されると（ステップＳ１０５；ＮＯ）、操作表示部２０のＬＣＤ２２に「左右綴じの印字済み用紙をセットしてください」というエラーメッセージが表示されるとともに（図１０（ｃ）参照）、ＲＡＭ１３の用紙選択済みフラグ領域に０が格納され（ステップＳ１０６）、処理は図７のステップＳ４に移行する。
【００７４】
ステップＳ１０５において、セットされているポートレートの印字済み用紙が左右綴じ用の印字済み用紙であると判断されると（ステップＳ１０５；ＹＥＳ）、トレイ情報１４１が参照され、ポートレート／左右綴じの印字済み用紙をセットしている給紙トレイが特定され、当該給紙トレイに格納されている用紙が給紙される用紙として選択されるとともに、ＲＡＭ１３の用紙選択済みフラグ領域に１が格納され（ステップＳ１０７）、処理は図７のステップＳ４に移行する。
【００７５】
一方、ステップＳ１０４において、出力設定された綴じ方向が上綴じであると判別された場合（ステップＳ１０４；上綴じ）、トレイ情報１４１の用紙種類情報、印字済み用紙種類情報及び印字済み用紙綴じ方向情報が参照され、セットされているポートレートの印字済み用紙が上綴じ用の印字済み用紙であるか否かが判断される（ステップＳ１０８）。セットされているポートレートの印字済み用紙が上綴じ用の印字済み用紙ではないと判断されると（ステップＳ１０８；ＮＯ）、操作表示部２０のＬＣＤ２２に「上綴じ印字済み用紙をセットしてください」というエラーメッセージが表示されるとともに（図１０（ｄ）参照）、ＲＡＭ１３の用紙選択済みフラグ領域に０が格納され（ステップＳ１０９）、処理は図７のステップＳ４に移行する。
【００７６】
ステップＳ１０８において、セットされているポートレートの印字済み用紙が上綴じ用の印字済み用紙であると判断されると（ステップＳ１０８；ＹＥＳ）、トレイ情報１４１が参照され、ポートレート／上綴じの印字済み用紙をセットしている給紙トレイが特定され、当該給紙トレイに格納されている用紙が給紙される用紙として選択されるとともに、ＲＡＭ１３の用紙選択済みフラグ領域に１が格納され（ステップＳ１１０）、処理は図７のステップＳ４に移行する。
【００７７】
一方、ステップＳ１０１において、原稿画像の画像方向がランドスケープであると判断された場合（ステップＳ１０１；ランドスケープ）、不揮発メモリ１４に記憶されているトレイ情報１４１の用紙種類情報及び印字済み用紙種類情報が参照され、ランドスケープの印字済み用紙が何れかの給紙トレイにセットされているか否かが判断される（ステップＳ１１１）。ランドスケープの印字済み用紙が何れの給紙トレイにもセットされていないと判断されると（ステップＳ１１１；ＮＯ）、操作表示部２０のＬＣＤ２２に「ランドスケープ印字済み用紙をセットしてください」というエラーメッセージが表示されるとともに（図１０（ｂ）参照）、ＲＡＭ１３の用紙選択済みフラグ領域に０が格納され（ステップＳ１１２）、処理は図７のステップＳ４に移行する。
【００７８】
ステップＳ１１１において、ランドスケープの印字済み用紙が何れかの給紙トレイにセットされていると判断された場合（ステップＳ１１１；ＹＥＳ）、ジョブ情報１４２の出力綴じ方向情報が参照され、出力設定された綴じ方向が判別される（ステップＳ１１３）。出力設定された綴じ方向が左右綴じであると判別された場合（ステップＳ１１３；左右綴じ）、トレイ情報１４１の用紙種類情報、印字済み用紙種類情報及び印字済み用紙綴じ方向情報が参照され、セットされているランドスケープの印字済み用紙が左右綴じ用の印字済み用紙であるか否かが判断される（ステップＳ１１４）。セットされているランドスケープの印字済み用紙が左右綴じ用の印字済み用紙ではないと判断されると（ステップＳ１１４；ＮＯ）、操作表示部２０のＬＣＤ２２に「左右綴じの印字済み用紙をセットしてください」というエラーメッセージが表示されるとともに（図１０（ｃ）参照）、ＲＡＭ１３の用紙選択済みフラグ領域に０が格納され（ステップＳ１１５）、処理は図７のステップＳ４に移行する。
【００７９】
ステップＳ１１４において、セットされているランドスケープの印字済み用紙が左右綴じ用の印字済み用紙であると判断されると（ステップＳ１１４；ＹＥＳ）、トレイ情報１４１が参照され、ランドスケープ／左右綴じの印字済み用紙をセットしている給紙トレイが特定され、当該給紙トレイに格納されている用紙が給紙される用紙として選択されるとともに、ＲＡＭ１３の用紙選択済みフラグ領域に１が格納され（ステップＳ１１６）、処理は図７のステップＳ４に移行する。
【００８０】
一方、ステップＳ１１３において、出力設定された綴じ方向が上綴じであると判別された場合（ステップＳ１１３；上綴じ）、トレイ情報１４１の用紙種類情報、印字済み用紙種類情報及び印字済み用紙綴じ方向情報が参照され、セットされているランドスケープの印字済み用紙が上綴じ用の印字済み用紙であるか否かが判断される（ステップＳ１１７）。セットされているランドスケープの印字済み用紙が上綴じ用の印字済み用紙ではないと判断されると（ステップＳ１１７；ＮＯ）、操作表示部２０のＬＣＤ２２に「上綴じ印字済み用紙をセットしてください」というエラーメッセージが表示されるとともに（図１０（ｄ）参照）、ＲＡＭ１３の用紙選択済みフラグ領域に０が格納され（ステップＳ１１８）、処理は図７のステップＳ４に移行する。
【００８１】
ステップＳ１１７において、セットされているランドスケープの印字済み用紙が上綴じ用の印字済み用紙であると判断されると（ステップＳ１１７；ＹＥＳ）、トレイ情報１４１が参照され、ランドスケープ／上綴じの印字済み用紙をセットしている給紙トレイが特定され、当該給紙トレイに格納されている用紙が給紙される用紙として選択されるとともに、ＲＡＭ１３の用紙選択済みフラグ領域に１が格納され（ステップＳ１１９）、処理は図７のステップＳ４に移行する。
【００８２】
図７のステップＳ１において、ジョブ情報１４２の用紙選択情報としてトレイ番号が記憶されており、指定トレイがあると判断されると（ステップＳ１；ＹＥＳ）、図１１、図１２に示す用紙選択処理Ｂが実行される（ステップＳ３）。
【００８３】
図１１、１２に、用紙選択処理Ｂを示す。当該処理は、ＣＰＵ１１と、プログラムメモリ１２に記憶されている用紙選択処理Ｂプログラムとの協働によるソフトウエア処理により実現される処理である。当該処理の実行により原稿判別手段、制御手段が実現される。
【００８４】
用紙選択処理Ｂにおいては、まず、不揮発メモリ１４に記憶されているジョブ情報１４２の原稿種類情報が参照され、原稿画像の画像方向がポートレートであるかランドスケープであるかが判断される（ステップＳ２０１）。原稿画像の画像方向がポートレートであると判断された場合（ステップＳ２０１；ポートレート）、不揮発メモリ１４に記憶されているトレイ情報１４１の指定トレイに対応する用紙種類情報及び印字済み用紙種類情報が参照され、指定トレイにポートレートの印字済み用紙がセットされているか否かが判断される（ステップＳ２０２）。指定トレイにポートレートの印字済み用紙がセットされていないと判断されると（ステップＳ２０２；ＮＯ）、操作表示部２０のＬＣＤ２２に「トレイ＊＊にポートレート印字済み用紙をセットしてください（＊＊は、トレイ番号）」というエラーメッセージが表示されるとともに（図１３（ａ）参照。図１３（ａ）は、指定トレイがトレイ１の場合を例として示す）、ＲＡＭ１３の用紙選択済みフラグ領域に０が格納され（ステップＳ２０３）、処理は図７のステップＳ４に移行する。
【００８５】
ステップＳ２０２において、指定トレイにポートレートの印字済み用紙がセットされていると判断された場合（ステップＳ２０２；ＹＥＳ）、ジョブ情報１４２の出力綴じ方向情報が参照され、出力設定された綴じ方向が判別される（ステップＳ２０４）。出力設定された綴じ方向が左右綴じであると判別された場合（ステップＳ２０４；左右綴じ）、トレイ情報１４１の指定トレイに対応する印字済み用紙綴じ方向情報が参照され、指定トレイにセットされている印字済み用紙が左右綴じ用の印字済み用紙であるか否かが判断される（ステップＳ２０５）。指定トレイにセットされている印字済み用紙が左右綴じ用の印字済み用紙ではないと判断されると（ステップＳ２０５；ＮＯ）、操作表示部２０のＬＣＤ２２に「トレイ＊＊に左右綴じの印字済み用紙をセットしてください」というエラーメッセージが表示されるとともに（図１３（ｃ）参照）、ＲＡＭ１３の用紙選択済みフラグ領域に０が格納され（ステップＳ２０６）、処理は図７のステップＳ４に移行する。
【００８６】
ステップＳ２０５において、指定トレイにセットされている印字済み用紙が左右綴じ用の印字済み用紙であると判断されると（ステップＳ２０５；ＹＥＳ）、指定トレイに格納されている用紙が給紙される用紙として選択されるとともに、ＲＡＭ１３の用紙選択済みフラグ領域に１が格納され（ステップＳ２０７）、処理は図７のステップＳ４に移行する。
【００８７】
一方、ステップＳ２０４において、出力設定された綴じ方向が上綴じであると判別された場合（ステップＳ２０４；上綴じ）、トレイ情報１４１の指定トレイに対応する印字済み用紙綴じ方向情報が参照され、指定トレイにセットされている印字済み用紙が上綴じ用の印字済み用紙であるか否かが判断される（ステップＳ２０８）。セットされているポートレートの印字済み用紙が上綴じ用の印字済み用紙ではないと判断されると（ステップＳ２０８；ＮＯ）、操作表示部２０のＬＣＤ２２に「トレイ＊＊に上綴じ印字済み用紙をセットしてください」というエラーメッセージが表示されるとともに（図１３（ｄ）参照）、ＲＡＭ１３の用紙選択済みフラグ領域に０が格納され（ステップＳ２０９）、処理は図７のステップＳ４に移行する。
【００８８】
ステップＳ２０８において、指定トレイにセットされている印字済み用紙が上綴じ用の印字済み用紙であると判断されると（ステップＳ２０８；ＹＥＳ）、指定トレイに格納されている用紙が給紙される用紙として選択されるとともに、ＲＡＭ１３の用紙選択済みフラグ領域に１が格納され（ステップＳ２１０）、処理は図７のステップＳ４に移行する。
【００８９】
一方、ステップＳ２０１において、原稿画像の画像方向がランドスケープであると判断された場合（ステップＳ２０１；ランドスケープ）、不揮発メモリ１４に記憶されているトレイ情報１４１の指定トレイに対応する用紙種類情報及び印字済み用紙種類情報が参照され、指定トレイにランドスケープの印字済み用紙がセットされているか否かが判断される（ステップＳ２１１）。指定トレイにランドスケープの印字済み用紙がセットされていないと判断されると（ステップＳ２１１；ＮＯ）、操作表示部２０のＬＣＤ２２に「トレイ＊＊にランドスケープ印字済み用紙をセットしてください」というエラーメッセージが表示されるとともに（図１３（ｂ）参照）、ＲＡＭ１３の用紙選択済みフラグ領域に０が格納され（ステップＳ２１２）、処理は図７のステップＳ４に移行する。
【００９０】
ステップＳ２１１において、指定トレイにランドスケープの印字済み用紙がセットされていると判断された場合（ステップＳ２１１；ＹＥＳ）、ジョブ情報１４２の出力綴じ方向情報が参照され、出力設定された綴じ方向が判別される（ステップＳ２１３）。出力設定された綴じ方向が左右綴じであると判別された場合（ステップＳ２１３；左右綴じ）、トレイ情報１４１の指定トレイに対応する印字済み用紙綴じ方向情報が参照され、指定トレイにセットされている印字済み用紙が左右綴じ用の印字済み用紙であるか否かが判断される（ステップＳ２１４）。指定トレイにセットされている印字済み用紙が左右綴じ用の印字済み用紙ではないと判断されると（ステップＳ２１４；ＮＯ）、操作表示部２０のＬＣＤ２２に「トレイ＊＊に左右綴じの印字済み用紙をセットしてください」というエラーメッセージが表示されるとともに（図１３（ｃ）参照）、ＲＡＭ１３の用紙選択済みフラグ領域に０が格納され（ステップＳ２１５）、処理は図７のステップＳ４に移行する。
【００９１】
ステップＳ２１４において、指定トレイにセットされている印字済み用紙が左右綴じ用の印字済み用紙であると判断されると（ステップＳ２１４；ＹＥＳ）、指定トレイに格納されている用紙が給紙される用紙として選択されるとともに、ＲＡＭ１３の用紙選択済みフラグ領域に１が格納され（ステップＳ２１６）、処理は図７のステップＳ４に移行する。
【００９２】
一方、ステップＳ２１３において、出力設定された綴じ方向が上綴じであると判別された場合（ステップＳ２１３；上綴じ）、トレイ情報１４１の指定トレイに対応する印字済み用紙綴じ方向情報が参照され、指定トレイにセットされている印字済み用紙が上綴じ用の印字済み用紙であるか否かが判断される（ステップＳ２１７）。指定トレイにセットされている印字済み用紙が上綴じ用の印字済み用紙ではないと判断されると（ステップＳ２１７；ＮＯ）、操作表示部２０のＬＣＤ２２に「トレイ＊＊に上綴じ印字済み用紙をセットしてください」というエラーメッセージが表示されるとともに（図１３（ｄ）参照）、ＲＡＭ１３の用紙選択済みフラグ領域に０が格納され（ステップＳ２１８）、処理は図７のステップＳ４に移行する。
【００９３】
ステップＳ２１７において、指定トレイにセットされている印字済み用紙が上綴じ用の印字済み用紙であると判断されると（ステップＳ２１７；ＹＥＳ）、指定トレイに格納されている用紙が給紙される用紙として選択されるとともに、ＲＡＭ１３の用紙選択済みフラグ領域に１が格納され（ステップＳ２１９）、処理は図７のステップＳ４に移行する。
【００９４】
図７のステップＳ４においては、ＲＡＭ１３の用紙選択済みフラグ領域が参照され、用紙選択済みフラグ領域に０が格納されている場合（ステップＳ４；０）、プリント動作は開始されず、操作表示部２０からの用紙設定変更又は指定トレイ変更の入力が待機される。ユーザは、エラーを解除するため、図１０（ａ）〜（ｄ）に示す何れかのエラーメッセージが表示された場合は、何れかの給紙トレイにエラーメッセージで要求された印字済み用紙をセットし、図４〜図５に示す設定画面により、印字済み用紙をセットした給紙トレイについての用紙設定変更を入力する。図１３（ａ）〜（ｄ）に示すエラーメッセージが表示された場合は、ユーザは、指定トレイにエラーメッセージで要求された印字済み用紙をセットし、図４〜図５に示す設定画面により、指定トレイについての用紙設定変更を入力する。或いは要求された印字済み用紙がセットされた給紙トレイに指定トレイを変更する入力を行う。不揮発メモリ１４のトレイ情報１４１、ジョブ情報１４２は、操作表示部２０からの用紙設定変更の入力又は指定トレイの変更入力に応じて書き換えられる。
【００９５】
操作表示部２０からの用紙設定変更が入力されて不揮発メモリ１４のトレイ情報１４１が設定変更され、更にスタートボタンが押下されて再スタートが指示されると（ステップＳ５；ＹＥＳ）、処理はステップＳ１に戻り、再度、用紙選択処理Ａ又はＢが実行される。操作表示部２０からの用紙設定変更が入力されずに（ステップＳ５；ＮＯ）、指定トレイ変更が入力されて不揮発メモリ１４のジョブ情報１４２が変更され、更にスタートボタンが押下されて再スタートが指示されると（ステップＳ６；ＹＥＳ）、処理はステップＳ１に戻り、再度、用紙選択処理Ａ又はＢが実行される。
【００９６】
一方、ＲＡＭ１３の用紙選択済みフラグ領域に１が格納されている場合（ステップＳ４；１）、プリンタ部５０のプリンタ制御部５１に、用紙選択処理で選択された用紙でのプリントの開始が指示され、プリンタ部５０において、用紙選択処理で選択された用紙によるプリント動作が行われ（ステップＳ７）、本処理は終了する。
【００９７】
以上説明したように、第１の実施の形態における画像形成装置１００によれば、印字済み用紙を使用する場合に、ジョブ情報１４２が参照され、給紙トレイとして指定されたトレイがあるか否かが判断され、指定トレイがないと判断された場合、トレイ情報１４１及びジョブ情報１４２の参照により、給紙トレイのいずれかに原稿画像の画像方向及び出力設定された綴じ方向に応じた印字方向の印字済み用紙がセットされているか否かが判断され、原稿画像の画像方向及び出力設定された綴じ方向に応じた印字方向の印字済み用紙がセットされていると判断されると、当該給紙トレイの用紙が給紙される用紙として選択される。給紙トレイの何れにも原稿画像の画像方向に応じた印字方向の印字済み用紙がセットされていないと判断された場合、プリント動作は行わず、原稿画像の画像方向に応じた印字済み用紙の給紙トレイへの装填を促す表示がＬＣＤ２２に表示される。給紙トレイの何れにも出力設定された綴じ方向に応じた印字方向の印字済み用紙がセットされていないと判断された場合、プリント動作は行わず、出力設定された綴じ方向に応じた印字済み用紙の給紙トレイへの装填を促す表示がＬＣＤ２２に表示される。
【００９８】
従って、複数の給紙トレイに装填された用紙のうち、原稿画像の画像方向と、出力設定された綴じ方向とに応じた印字方向の印字済み用紙を自動的に選択するので、画像の天地方向と印字済み用紙の天地方向とが合わない状態で出力してしまうことを防止することができる。また、何れの給紙トレイにも原稿画像の画像方向と、出力設定された綴じ方向とに応じた印字方向の印字済み用紙が装填されていない場合、プリント動作は行わず、装填すべき印字済み用紙の種類をＬＣＤ２２に表示するので、ユーザが装填すべき印字済み用紙の印字方向を認識し、給紙トレイに装填することが可能となり、画像の天地方向と印字済み用紙の天地方向とが合わない状態で出力してしまうことを防止することができる。
【００９９】
また、指定された給紙トレイがあると判断された場合、トレイ情報１４１及びジョブ情報１４２の参照により、指定トレイに原稿画像の画像方向及び出力設定された綴じ方向に応じた印字方向の印字済み用紙がセットされているか否かが判断され、原稿画像の画像方向及び出力設定された綴じ方向に応じた印字方向の印字済み用紙がセットされていると判断されると、指定トレイにセットされている用紙が給紙される用紙として選択される。指定トレイに原稿画像の画像方向に応じた印字方向の印字済み用紙がセットされていないと判断された場合、プリント動作は行わず、原稿画像の画像方向に応じた印字済み用紙の指定トレイへの装填を促す表示がＬＣＤ２２に表示される。指定トレイに出力設定された綴じ方向に応じた印字方向の印字済み用紙がセットされていないと判断された場合、プリント動作は行わず、出力設定された綴じ方向に応じた印字済み用紙の指定トレイへの装填を促す表示がＬＣＤ２２に表示される。
【０１００】
従って、指定トレイに装填されている用紙が、原稿画像の画像方向及び入力された出力綴じ方向に応じた印字方向の印字済み用紙でない場合に、画像形成動作を行わないので、画像の天地方向と印字済み用紙の天地方向とが合わない状態で出力してしまうことを防止することができる。また、装填すべき印字済み用紙の種類をＬＣＤ２２に表示するので、ユーザが装填すべき印字済み用紙の印字方向を認識し、給紙トレイに装填することが可能となり、画像の天地方向と印字済み用紙の天地方向とが合わない状態で出力してしまうことを防止することができる。
【０１０１】
〔第２の実施の形態〕
以下、本発明の第２の実施の形態について説明する。
第２の実施の形態において、プログラムメモリ１２には、プリント処理プログラム、用紙選択処理Ｃプログラム、用紙選択処理Ｄプログラムを始めとする各種処理プログラムが記憶されている。その他の構成は、第１の実施の形態で説明したのと略同様であるので説明は省略し、第２の実施の形態における動作について説明する。
【０１０２】
第１の実施の形態においては、原稿画像の画像方向に合った印字方向の印字済み用紙がセットされていない場合に、原稿画像の画像方向に合った印字方向の印字済み用紙のセットを要求するエラーメッセージを表示し、出力設定された綴じ方向に合った印字方向の印字済み用紙がセットされていない場合に、出力設定に合った印字方向の印字済み用紙のセットを要求するエラーメッセージを表示した。本実施の形態においては、原稿画像の画像方向及び出力設定された綴じ方向の双方に合った印字済み用紙がセットされていない場合に、原稿画像の画像方向及び出力設定された綴じ方向の双方に合った印字済み用紙のセットを要求するエラーメッセージを表示する。
【０１０３】
第２の実施の形態においては、図７のステップＳ２において、図１４、図１５に示す用紙選択処理Ｃが実行され、ステップＳ３において、図１６、図１７に示す用紙選択処理Ｄが実行される。その他のプリント処理の動作は、第１の実施の形態で説明したのと同様であるので、用紙選択処理Ｃ、用紙選択処理Ｄについて説明する。
【０１０４】
まず、図１４、図１５を参照して用紙選択処理Ｃについて説明する。当該処理は、ＣＰＵ１１と、プログラムメモリ１２に記憶されている用紙選択処理Ｃプログラムとの協働によるソフトウエア処理により実現される処理である。当該処理の実行により原稿判別手段、制御手段が実現される。
【０１０５】
図１４、図１５に示す用紙選択処理Ｃにおいては、不揮発メモリ１４に記憶されているジョブ情報１４２の原稿種類情報が参照され、原稿画像の画像方向がポートレートであるかランドスケープであるかが判断される（ステップＳ３０１）。原稿画像の画像方向がポートレートであると判断された場合（ステップＳ３０１；ポートレート）、不揮発メモリ１４に記憶されているトレイ情報１４１の用紙種類情報及び印字済み用紙種類情報が参照され、ポートレートの印字済み用紙が何れかの給紙トレイにセットされているか否かが判断される（ステップＳ３０２）。ポートレートの印字済み用紙が何れの給紙トレイにもセットされていないと判断されると（ステップＳ３０２；ＮＯ）、ジョブ情報１４２の出力綴じ方向情報が参照され、出力設定された綴じ方向が判別され（ステップＳ３０３）、出力設定された綴じ方向が左右綴じであると判別された場合（ステップＳ３０３；左右綴じ）、操作表示部２０のＬＣＤ２２に「ポートレート／左右綴じの印字済み用紙をセットしてください」というエラーメッセージが表示されるとともに、ＲＡＭ１３の用紙選択済みフラグ領域に０が格納され（ステップＳ３０４）、処理は図７のステップＳ４に移行する。ステップＳ３０３において、出力設定された綴じ方向が上綴じであると判別された場合（ステップＳ３０３；上綴じ）、操作表示部２０のＬＣＤ２２に「ポートレート／上綴じの印字済み用紙をセットしてください」というエラーメッセージが表示されるとともに、ＲＡＭ１３の用紙選択済みフラグ領域に０が格納され（ステップＳ３０５）、処理は図７のステップＳ４に移行する。
【０１０６】
ステップＳ３０２において、ポートレートの印字済み用紙が何れかの給紙トレイにセットされていると判断された場合（ステップＳ３０２；ＹＥＳ）、ジョブ情報１４２の出力綴じ方向情報が参照され、出力設定された綴じ方向が判別される（ステップＳ３０６）。出力設定された綴じ方向が左右綴じであると判別された場合（ステップＳ３０６；左右綴じ）、トレイ情報１４１の用紙種類情報、印字済み用紙種類情報及び印字済み用紙綴じ方向情報が参照され、セットされているポートレートの印字済み用紙が左右綴じ用の印字済み用紙であるか否かが判断される（ステップＳ３０７）。セットされているポートレートの印字済み用紙が左右綴じ用の印字済み用紙ではないと判断されると（ステップＳ３０７；ＮＯ）、操作表示部２０のＬＣＤ２２に「ポートレート／左右綴じの印字済み用紙をセットしてください」というエラーメッセージが表示されるとともに、ＲＡＭ１３の用紙選択済みフラグ領域に０が格納され（ステップＳ３０８）、処理は図７のステップＳ４に移行する。
【０１０７】
ステップＳ３０７において、セットされているポートレートの印字済み用紙が左右綴じ用の印字済み用紙であると判断されると（ステップＳ３０７；ＹＥＳ）、トレイ情報１４１が参照され、ポートレート／左右綴じの印字済み用紙をセットしている給紙トレイが特定され、当該給紙トレイに格納されている用紙が給紙される用紙として選択されるとともに、ＲＡＭ１３の用紙選択済みフラグ領域に１が格納され（ステップＳ３０９）、処理は図７のステップＳ４に移行する。
【０１０８】
一方、ステップＳ３０６において、出力設定された綴じ方向が上綴じであると判別された場合（ステップＳ３０６；上綴じ）、トレイ情報１４１の用紙種類情報、印字済み用紙種類情報及び印字済み用紙綴じ方向情報が参照され、セットされているポートレートの印字済み用紙が上綴じ用の印字済み用紙であるか否かが判断される（ステップＳ３１０）。セットされているポートレートの印字済み用紙が上綴じ用の印字済み用紙ではないと判断されると（ステップＳ３１０；ＮＯ）、操作表示部２０のＬＣＤ２２に「ポートレート／上綴じ印字済み用紙をセットしてください」というエラーメッセージが表示されるとともに、ＲＡＭ１３の用紙選択済みフラグ領域に０が格納され（ステップＳ３１１）、処理は図７のステップＳ４に移行する。
【０１０９】
ステップＳ３１０において、セットされているポートレートの印字済み用紙が上綴じ用の印字済み用紙であると判断されると（ステップＳ３１０；ＹＥＳ）、トレイ情報１４１が参照され、ポートレート／上綴じの印字済み用紙をセットしている給紙トレイが特定され、当該給紙トレイに格納されている用紙が給紙される用紙として選択されるとともに、ＲＡＭ１３の用紙選択済みフラグ領域に１が格納され（ステップＳ３１２）、処理は図７のステップＳ４に移行する。
【０１１０】
一方、ステップＳ３０１において、原稿画像の画像方向がランドスケープであると判断された場合（ステップＳ３０１；ランドスケープ）、不揮発メモリ１４に記憶されているトレイ情報１４１の用紙種類情報及び印字済み用紙種類情報が参照され、ランドスケープの印字済み用紙が何れかの給紙トレイにセットされているか否かが判断される（ステップＳ３１３）。ランドスケープの印字済み用紙が何れの給紙トレイにもセットされていないと判断されると（ステップＳ３１３；ＮＯ）、ジョブ情報１４２の出力綴じ方向情報が参照され、出力設定された綴じ方向が判別され（ステップＳ３１４）、出力設定された綴じ方向が左右綴じであると判別された場合（ステップＳ３１４；左右綴じ）、操作表示部２０のＬＣＤ２２に「ランドスケープ／左右綴じの印字済み用紙をセットしてください」というエラーメッセージが表示されるとともに、ＲＡＭ１３の用紙選択済みフラグ領域に０が格納され（ステップＳ３１５）、処理は図７のステップＳ４に移行する。ステップＳ３１４において、出力設定された綴じ方向が上綴じであると判別された場合（ステップＳ３１４；上綴じ）、操作表示部２０のＬＣＤ２２に「ランドスケープ／上綴じの印字済み用紙をセットしてください」というエラーメッセージが表示されるとともに、ＲＡＭ１３の用紙選択済みフラグ領域に０が格納され（ステップＳ３１６）、処理は図７のステップＳ４に移行する。
【０１１１】
ステップＳ３１３において、ランドスケープの印字済み用紙が何れかの給紙トレイにセットされていると判断された場合（ステップＳ３１３；ＹＥＳ）、ジョブ情報１４２の出力綴じ方向情報が参照され、出力設定された綴じ方向が判別される（ステップＳ３１７）。出力設定された綴じ方向が左右綴じであると判別された場合（ステップＳ３１７；左右綴じ）、トレイ情報１４１の用紙種類情報、印字済み用紙種類情報及び印字済み用紙綴じ方向情報が参照され、セットされているランドスケープの印字済み用紙が左右綴じ用の印字済み用紙であるか否かが判断される（ステップＳ３１８）。セットされているランドスケープの印字済み用紙が左右綴じ用の印字済み用紙ではないと判断されると（ステップＳ３１８；ＮＯ）、操作表示部２０のＬＣＤ２２に「ランドスケープ／左右綴じの印字済み用紙をセットしてください」というエラーメッセージが表示されるとともに、ＲＡＭ１３の用紙選択済みフラグ領域に０が格納され（ステップＳ３１９）、処理は図７のステップＳ４に移行する。
【０１１２】
ステップＳ３１８において、セットされているランドスケープの印字済み用紙が左右綴じ用の印字済み用紙であると判断されると（ステップＳ３１８；ＹＥＳ）、トレイ情報１４１が参照され、ランドスケープ／左右綴じの印字済み用紙をセットしている給紙トレイが特定され、当該給紙トレイに格納されている用紙が給紙される用紙として選択されるとともに、ＲＡＭ１３の用紙選択済みフラグ領域に１が格納され（ステップＳ３２０）、処理は図７のステップＳ４に移行する。
【０１１３】
一方、ステップＳ３１７において、出力設定された綴じ方向が上綴じであると判別された場合（ステップＳ３１７；上綴じ）、トレイ情報１４１の用紙種類情報、印字済み用紙種類情報及び印字済み用紙綴じ方向情報が参照され、セットされているランドスケープの印字済み用紙が上綴じ用の印字済み用紙であるか否かが判断される（ステップＳ３２１）。セットされているランドスケープの印字済み用紙が上綴じ用の印字済み用紙ではないと判断されると（ステップＳ３２１；ＮＯ）、操作表示部２０のＬＣＤ２２に「ランドスケープ／上綴じ印字済み用紙をセットしてください」というエラーメッセージが表示されるとともに、ＲＡＭ１３の用紙選択済みフラグ領域に０が格納され（ステップＳ３２２）、処理は図７のステップＳ４に移行する。
【０１１４】
ステップＳ３２１において、セットされているランドスケープの印字済み用紙が上綴じ用の印字済み用紙であると判断されると（ステップＳ３２１；ＹＥＳ）、トレイ情報１４１が参照され、ランドスケープ／上綴じの印字済み用紙をセットしている給紙トレイが特定され、当該給紙トレイに格納されている用紙が給紙される用紙として選択されるとともに、ＲＡＭ１３の用紙選択済みフラグ領域に１が格納され（ステップＳ３２３）、処理は図７のステップＳ４に移行する。
【０１１５】
次に、図１６、図１７を参照して用紙選択処理Ｄについて説明する。当該処理は、ＣＰＵ１１と、プログラムメモリ１２に記憶されている用紙選択処理Ｄプログラムとの協働によるソフトウエア処理により実現される処理である。当該処理の実行により原稿判別手段、制御手段が実現される。
【０１１６】
図１６、図１７に示す用紙選択処理Ｄにおいては、不揮発メモリ１４に記憶されているジョブ情報１４２の原稿種類情報が参照され、原稿画像の画像方向がポートレートであるかランドスケープであるかが判断される（ステップＳ４０１）。原稿画像の画像方向がポートレートであると判断された場合（ステップＳ４０１；ポートレート）、不揮発メモリ１４に記憶されているトレイ情報１４１の指定トレイに対応する用紙種類情報及び印字済み用紙種類情報が参照され、指定トレイにポートレートの印字済み用紙がセットされているか否かが判断される（ステップＳ４０２）。指定トレイにポートレートの印字済み用紙がセットされていないと判断されると（ステップＳ４０２；ＮＯ）、ジョブ情報１４２の出力綴じ方向情報が参照され、出力設定された綴じ方向が判別され（ステップＳ４０３）、出力設定された綴じ方向が左右綴じであると判別された場合（ステップＳ４０３；左右綴じ）、操作表示部２０のＬＣＤ２２に「トレイ＊＊にポートレート／左右綴じの印字済み用紙をセットしてください」というエラーメッセージが表示されるとともに、ＲＡＭ１３の用紙選択済みフラグ領域に０が格納され（ステップＳ４０４）、処理は図７のステップＳ４に移行する。ステップＳ４０３において、出力設定された綴じ方向が上綴じであると判別された場合（ステップＳ４０３；上綴じ）、操作表示部２０のＬＣＤ２２に「トレイ＊＊にポートレート／上綴じの印字済み用紙をセットしてください」というエラーメッセージが表示されるとともに、ＲＡＭ１３の用紙選択済みフラグ領域に０が格納され（ステップＳ４０５）、処理は図７のステップＳ４に移行する。
【０１１７】
ステップＳ４０２において、指定トレイにポートレートの印字済み用紙がセットされていると判断された場合（ステップＳ４０２；ＹＥＳ）、ジョブ情報１４２の出力綴じ方向情報が参照され、出力設定された綴じ方向が判別される（ステップＳ４０６）。出力設定された綴じ方向が左右綴じであると判別された場合（ステップＳ４０６；左右綴じ）、トレイ情報１４１の指定トレイに対応する印字済み用紙綴じ方向情報が参照され、指定トレイにセットされているポートレートの印字済み用紙が左右綴じ用の印字済み用紙であるか否かが判断される（ステップＳ４０７）。指定トレイにセットされているポートレートの印字済み用紙が左右綴じ用の印字済み用紙ではないと判断されると（ステップＳ４０７；ＮＯ）、操作表示部２０のＬＣＤ２２に「トレイ＊＊にポートレート／左右綴じの印字済み用紙をセットしてください」というエラーメッセージが表示されるとともに、ＲＡＭ１３の用紙選択済みフラグ領域に０が格納され（ステップＳ４０８）、処理は図７のステップＳ４に移行する。
【０１１８】
ステップＳ４０７において、指定トレイにセットされているポートレートの印字済み用紙が左右綴じ用の印字済み用紙であると判断されると（ステップＳ４０７；ＹＥＳ）、指定トレイに格納されている用紙が給紙される用紙として選択されるとともに、ＲＡＭ１３の用紙選択済みフラグ領域に１が格納され（ステップＳ４０９）、処理は図７のステップＳ４に移行する。
【０１１９】
一方、ステップＳ４０６において、出力設定された綴じ方向が上綴じであると判別された場合（ステップＳ４０６；上綴じ）、トレイ情報１４１の指定トレイに対応する印字済み用紙綴じ方向情報が参照され、指定トレイにセットされているポートレートの印字済み用紙が上綴じ用の印字済み用紙であるか否かが判断される（ステップＳ４１０）。セットされているポートレートの印字済み用紙が上綴じ用の印字済み用紙ではないと判断されると（ステップＳ４１０；ＮＯ）、操作表示部２０のＬＣＤ２２に「トレイ＊＊にポートレート／上綴じ印字済み用紙をセットしてください」というエラーメッセージが表示されるとともに、ＲＡＭ１３の用紙選択済みフラグ領域に０が格納され（ステップＳ４１１）、処理は図７のステップＳ４に移行する。
【０１２０】
ステップＳ４１０において、指定トレイにセットされているポートレートの印字済み用紙が上綴じ用の印字済み用紙であると判断されると（ステップＳ４１０；ＹＥＳ）、指定トレイに格納されている用紙が給紙される用紙として選択されるとともに、ＲＡＭ１３の用紙選択済みフラグ領域に１が格納され（ステップＳ４１２）、処理は図７のステップＳ４に移行する。
【０１２１】
一方、ステップＳ４０１において、原稿画像の画像方向がランドスケープであると判断された場合（ステップＳ４０１；ランドスケープ）、不揮発メモリ１４に記憶されているトレイ情報１４１の指定トレイに対応する用紙種類情報及び印字済み用紙種類情報が参照され、ランドスケープの印字済み用紙が何れかの給紙トレイにセットされているか否かが判断される（ステップＳ４１３）。指定トレイにランドスケープの印字済み用紙がセットされていないと判断されると（ステップＳ４１３；ＮＯ）、ジョブ情報１４２の出力綴じ方向情報が参照され、出力設定された綴じ方向が判別され（ステップＳ４１４）、出力設定された綴じ方向が左右綴じであると判別された場合（ステップＳ４１４；左右綴じ）、操作表示部２０のＬＣＤ２２に「トレイ＊＊にランドスケープ／左右綴じの印字済み用紙をセットしてください」というエラーメッセージが表示されるとともに、ＲＡＭ１３の用紙選択済みフラグ領域に０が格納され（ステップＳ４１５）、処理は図７のステップＳ４に移行する。ステップＳ４１４において、出力設定された綴じ方向が上綴じであると判別された場合（ステップＳ４１４；上綴じ）、操作表示部２０のＬＣＤ２２に「トレイ＊＊にランドスケープ／上綴じの印字済み用紙をセットしてください」というエラーメッセージが表示されるとともに、ＲＡＭ１３の用紙選択済みフラグ領域に０が格納され（ステップＳ４１６）、処理は図７のステップＳ４に移行する。
【０１２２】
ステップＳ４１３において、指定トレイにランドスケープの印字済み用紙がセットされていると判断された場合（ステップＳ４１３；ＹＥＳ）、ジョブ情報１４２の出力綴じ方向情報が参照され、出力設定された綴じ方向が判別される（ステップＳ４１７）。出力設定された綴じ方向が左右綴じであると判別された場合（ステップＳ４１７；左右綴じ）、トレイ情報１４１の指定トレイに対応する印字済み用紙綴じ方向情報が参照され、指定トレイにセットされているランドスケープの印字済み用紙が左右綴じ用の印字済み用紙であるか否かが判断される（ステップＳ４１８）。指定トレイにセットされているランドスケープの印字済み用紙が左右綴じ用の印字済み用紙ではないと判断されると（ステップＳ４１８；ＮＯ）、操作表示部２０のＬＣＤ２２に「トレイ＊＊にランドスケープ／左右綴じの印字済み用紙をセットしてください」というエラーメッセージが表示されるとともに、ＲＡＭ１３の用紙選択済みフラグ領域に０が格納され（ステップＳ４１９）、処理は図７のステップＳ４に移行する。
【０１２３】
ステップＳ４１８において、指定トレイにセットされているランドスケープの印字済み用紙が左右綴じ用の印字済み用紙であると判断されると（ステップＳ４１８；ＹＥＳ）、指定トレイに格納されている用紙が給紙される用紙として選択されるとともに、ＲＡＭ１３の用紙選択済みフラグ領域に１が格納され（ステップＳ４２０）、処理は図７のステップＳ４に移行する。
【０１２４】
一方、ステップＳ４１７において、出力設定された綴じ方向が上綴じであると判別された場合（ステップＳ４１７；上綴じ）、トレイ情報１４１の指定トレイに対応する印字済み用紙綴じ方向情報が参照され、指定トレイにセットされているランドスケープの印字済み用紙が上綴じ用の印字済み用紙であるか否かが判断される（ステップＳ４２１）。セットされているランドスケープの印字済み用紙が上綴じ用の印字済み用紙ではないと判断されると（ステップＳ４２１；ＮＯ）、操作表示部２０のＬＣＤ２２に「トレイ＊＊にランドスケープ／上綴じ印字済み用紙をセットしてください」というエラーメッセージが表示されるとともに、ＲＡＭ１３の用紙選択済みフラグ領域に０が格納され（ステップＳ４２２）、処理は図７のステップＳ４に移行する。
【０１２５】
ステップＳ４２１において、指定トレイにセットされているランドスケープの印字済み用紙が上綴じ用の印字済み用紙であると判断されると（ステップＳ４２１；ＹＥＳ）、指定トレイに格納されている用紙が給紙される用紙として選択されるとともに、ＲＡＭ１３の用紙選択済みフラグ領域に１が格納され（ステップＳ４２３）、処理は図７のステップＳ４に移行する。
【０１２６】
図７のステップＳ４以降の処理は、第１の実施の形態と同様である。
【０１２７】
以上説明したように、第２の実施の形態における画像形成装置１００によれば、印字済み用紙を使用する場合に、ジョブ情報１４２が参照され、指定された給紙トレイがあるか否かが判断され、指定トレイがないと判断された場合、トレイ情報１４１及びジョブ情報１４２の参照により、給紙トレイのいずれかに原稿画像の画像方向及び出力設定された綴じ方向に応じた印字方向の印字済み用紙がセットされているか否かが判断され、原稿画像の画像方向及び出力設定された綴じ方向に応じた印字方向の印字済み用紙がセットされていると判断されると、当該印字済み用紙がセットされている給紙トレイの用紙が給紙される用紙として選択される。給紙トレイの何れにも原稿画像の画像方向及び出力設定された綴じ方向に応じた印字方向の印字済み用紙がセットされていないと判断された場合、プリント動作は行わず、原稿画像の画像方向及び出力設定された綴じ方向に応じた印字済み用紙の給紙トレイへの装填を促す表示がＬＣＤ２２に表示される。
【０１２８】
従って、複数の給紙トレイに装填された用紙のうち、原稿画像の画像方向及び出力設定された綴じ方向に応じた印字方向の印字済み用紙を自動的に選択するので、画像の天地方向と印字済み用紙の天地方向とが合わない状態で出力してしまうことを防止することができる。また、何れの給紙トレイにも原稿画像の画像方向及び出力設定された綴じ方向とに応じた印字方向の印字済み用紙が装填されていない場合、プリント動作は行わず、装填すべき印字済み用紙の種類をＬＣＤ２２に表示するので、ユーザが装填すべき印字済み用紙の印字方向を認識し、給紙トレイに装填することが可能となり、画像の天地方向と印字済み用紙の天地方向とが合わない状態で出力してしまうことを防止することができる。
【０１２９】
また、給紙トレイとして指定された給紙トレイがあると判断された場合、トレイ情報１４１及びジョブ情報１４２の参照により、指定トレイに原稿画像の画像方向及び出力設定された綴じ方向に応じた印字方向の印字済み用紙がセットされているか否かが判断され、原稿画像の画像方向及び出力設定された綴じ方向に応じた印字方向の印字済み用紙がセットされていると判断されると、指定トレイにセットされている用紙が給紙される用紙として選択される。指定トレイに原稿画像の画像方向及び出力設定された綴じ方向に応じた印字方向の印字済み用紙がセットされていないと判断された場合、プリント動作は行わず、原稿画像の画像方向及び出力設定された綴じ方向に応じた印字済み用紙の指定トレイへの装填を促す表示がＬＣＤ２２に表示される。
【０１３０】
従って、指定トレイに装填されている用紙が、原稿画像の画像方向及び入力された出力綴じ方向に応じた印字方向の印字済み用紙でない場合に、画像形成動作を行わないので、画像の天地方向と印字済み用紙の天地方向とが合わない状態で出力してしまうことを防止することができる。また、装填すべき印字済み用紙の種類をＬＣＤ２２に表示するので、ユーザが装填すべき印字済み用紙の印字方向を認識し、給紙トレイに装填することが可能となり、画像の天地方向と印字済み用紙の天地方向とが合わない状態で出力してしまうことを防止することができる。
【０１３１】
なお、上記実施の形態における記述内容は、本発明に係る画像形成装置１００の好適な一例であり、これに限定されるものではない。
【０１３２】
例えば、上記実施の形態においては、記録媒体として用紙を用いたが、記録媒体の材質としては紙に限定されない。
【０１３３】
その他、画像形成装置１００の細部構成及び細部動作に関しても、本発明の趣旨を逸脱することのない範囲で適宜変更可能である。
【図面の簡単な説明】
【０１３４】
【図１】本発明に係る画像形成装置１００の機能的構成を示すブロック図である。
【図２】図１の不揮発メモリ１４におけるトレイ情報１４１のデータ格納例を示す図である。
【図３】図１の不揮発メモリ１４におけるジョブ情報１４２のデータ格納例を示す図である。
【図４】図４（ａ）は、基本画面２２１の一例を示す図、図４（ｂ）は、用紙設定画面２２２の一例を示す図、図４（ｃ）は、トレイ選択画面２２３の一例を示す図である。
【図５】図５（ａ）は、設定変更画面２２４の一例を示す図、図５（ｂ）は、用紙種類設定画面２２５の一例を示す図、図５（ｃ）は、印字済み用紙設定画面２２６の一例を示す図である。
【図６】図６（ａ）は、図４（ａ）の基本画面２２１の「仕上り」ボタンを押下したときに表示されるポップアップ画面の一例を示す図、図６（ｂ）は、図６（ａ）に示す画面上から「排紙方法」ボタンを押下したときに表示されるポップアップ画面の一例を示す図である。
【図７】ＣＰＵ１１により実行されるプリント処理を示すフローチャートである。
【図８】ＣＰＵ１１により実行される用紙選択処理Ａを示すフローチャートである。
【図９】ＣＰＵ１１により実行される用紙選択処理Ａを示すフローチャートである。
【図１０】用紙選択処理ＡにおいてＬＣＤ２２に表示されるエラーメッセージ画面の例を示す図である。
【図１１】ＣＰＵ１１により実行される用紙選択処理Ｂを示すフローチャートである。
【図１２】ＣＰＵ１１により実行される用紙選択処理Ｂを示すフローチャートである。
【図１３】用紙選択処理ＢにおいてＬＣＤ２２に表示されるエラーメッセージ画面の例を示す図である。
【図１４】ＣＰＵ１１により実行される用紙選択処理Ｃを示すフローチャートである。
【図１５】ＣＰＵ１１により実行される用紙選択処理Ｃを示すフローチャートである。
【図１６】ＣＰＵ１１により実行される用紙選択処理Ｄを示すフローチャートである。
【図１７】ＣＰＵ１１により実行される用紙選択処理Ｄを示すフローチャートである。
【図１８】両面印字済み記録媒体の種類を示す図であり、図１８（ａ）は、ポートレート／左右綴じ用、図１８（ｂ）は、ポートレート／上綴じ用、図１８（ｃ）は、ランドスケープ／左右綴じ用、図１８（ｄ）はランドスケープ／上綴じ用の両面印字済み記録媒体を示す図である。
【図１９】ポートレートの両面印字済み記録媒体を使用して画像を形成する際の、綴じ方向の出力設定と両面印字済み記録媒体の綴じ方向との関係を示す図である。
【図２０】ランドスケープの両面印字済み記録媒体を使用して画像を形成する際の、綴じ方向の出力設定と両面印字済み記録媒体の綴じ方向との関係を示す図である。
【符号の説明】
【０１３５】
１００  画像形成装置
２００  ホストコンピュータ
１０  制御部
１１  ＣＰＵ
１２  プログラムメモリ
１３  ＲＡＭ
１４  不揮発メモリ
１４１  トレイ情報
１４２  ジョブ情報
１５  読み取り処理部
１６  ＤＲＡＭ制御ＩＣ
１７  圧縮／伸張ＩＣ
１８  画像メモリ
１８ａ  圧縮メモリ
１８ｂ  ページメモリ
１９  書き込み処理部
２０  操作表示部
２１  操作表示制御部
２２  ＬＣＤ
２２１  基本画面
２２２  用紙設定画面
２２３  トレイ選択画面
２２４  設定変更画面
２２５  用紙種類設定画面
２２６  印字済み用紙設定画面
３０  スキャナ部
３１  スキャナ制御部
３２  スキャナ  
４０  ＡＤＦ部
４１  ＡＤＦ制御部
４２  ＡＤＦ
５０  プリンタ部
５１  プリンタ制御部
５２  プリンタ
６０  プリントコントローラ部
６１  コントローラ制御部
６２  ＤＲＡＭ制御ＩＣ
６３  画像メモリ
６４  ＬＡＮＩＦ
７０  後処理部
７１  後処理制御部
７２  後処理装置
Ｎ  ネットワーク
【図１】
0004807138.tif 000002
【図２】
0004807138.tif 000003
【図３】
0004807138.tif 000004
【図４】
0004807138.tif 000005
【図５】
0004807138.tif 000006
【図６】
0004807138.tif 000007
【図７】
0004807138.tif 000008
【図８】
0004807138.tif 000009
【図９】
0004807138.tif 000010
【図１０】
0004807138.tif 000011
【図１１】
0004807138.tif 000012
【図１２】
0004807138.tif 000013
【図１３】
0004807138.tif 000014
【図１４】
0004807138.tif 000015
【図１５】
0004807138.tif 000016
【図１６】
0004807138.tif 000017
【図１７】
0004807138.tif 000018
【図１８】
0004807138.tif 000019
【図１９】
0004807138.tif 000020
【図２０】
0004807138.tif 000021